(57)【要約】【課題】一の通信手段を用いて音声通話を行うことができる情報通信システムおよび情報通信方法を提供する。【解決手段】携帯通信端末１０の端末情報送信手段１１が、端末情報をアクセスポイントとインターネットとを介してサーバ２０に送信する。音声データ送受信手段１２が、音声データをアクセスポイントとインターネットとを介してサーバ２０に送信し、サーバ２０が送信した音声データをインターネットとアクセスポイントとを介して受信する。サーバ２０の音声情報中継手段２１が、端末情報にもとづいて、通信装置から送信された音声情報にもとづく音声データをインターネットとアクセスポイントとを介して携帯通信端末１０に送信し、携帯通信端末１０の音声データ送受信手段１２がアクセスポイントとインターネットとを介して送信した音声データにもとづく音声情報を通信装置に送信する。【選択図】図６
2010278626.tif 000002
【特許請求の範囲】
【請求項１】
通信装置と音声情報を送受信するサーバと、インターネットに接続された無線ＬＡＮのアクセスポイントを介して前記サーバと音声データを送受信する携帯通信端末とを備えた情報通信システムであって、
前記携帯通信端末は、
自携帯通信端末と自携帯通信端末の接続先の無線ＬＡＮのアクセスポイントとを示す端末情報を前記アクセスポイントと前記インターネットとを介して前記サーバに送信する端末情報送信手段と、
音声データを前記アクセスポイントと前記インターネットとを介して前記サーバに送信し、前記サーバが送信した音声データを前記インターネットと前記アクセスポイントとを介して受信する音声データ送受信手段とを含み、
前記サーバは、
前記携帯通信端末の前記端末情報送信手段が送信した端末情報にもとづいて、前記通信装置から送信された音声情報にもとづく音声データを前記インターネットと前記アクセスポイントとを介して前記携帯通信端末に送信し、前記携帯通信端末の前記音声データ送受信手段が前記アクセスポイントと前記インターネットとを介して送信した音声データにもとづく音声情報を前記通信装置に送信する音声情報中継手段を含む
ことを特徴とする情報通信システム。
【請求項２】
サーバおよび通信装置は、公衆電話網に接続され、
前記サーバの音声情報中継手段は、前記公衆電話網を介して前記通信装置と音声情報を送受信し、
前記サーバは、前記通信装置から前記公衆電話網を介して送信された音声情報をインターネットと無線ＬＡＮのアクセスポイントを介して携帯通信端末に送信するための音声データに変換し、前記携帯通信端末の音声データ送受信手段から前記アクセスポイントと前記インターネットとを介して受信した音声データを前記公衆電話網を介して前記通信装置に送信するための音声情報に変換する音声データ変換手段を含む
請求項１記載の情報通信システム。
【請求項３】
携帯通信端末の端末情報送信手段は、暗号通信規格にもとづいて端末情報をサーバに送信し、
前記携帯通信端末の音声データ送受信手段は、前記暗号通信規格にもとづいて音声データを前記サーバに送信し、
前記サーバの音声情報中継手段は、前記暗号通信規格にもとづいて音声データを前記携帯通信端末に送信する
請求項１または請求項２記載の情報通信システム。
【請求項４】
携帯通信端末の端末情報送信手段は、無線ＬＡＮのアクセスポイントと通信可能になったときに、前記アクセスポイントとインターネットとを介してサーバに端末情報を送信する
請求項１から請求項３のうちいずれか１項に記載の情報通信システム。
【請求項５】
サーバの近傍に設置され、ＬＡＮを介して前記サーバに接続された無線ＬＡＮのアクセスポイントである近傍アクセスポイントを備え、
前記近傍アクセスポイントは、携帯通信端末と無線ＬＡＮを介して通信可能になったときに、前記近傍アクセスポイントであることを示すアクセスポイント情報を前記携帯通信端末に送信し、
前記携帯通信端末の端末情報送信手段は、前記アクセスポイント情報にもとづいて無線ＬＡＮの接続先が前記近傍アクセスポイントであることを認識して、端末情報を前記近傍アクセスポイントと前記ＬＡＮとを介して前記サーバに送信し、
前記携帯通信端末の音声データ送受信手段は、音声データを前記近傍アクセスポイントと前記ＬＡＮとを介して前記サーバに送信し、前記ＬＡＮと前記近傍アクセスポイントとを介して前記サーバが送信した音声データを受信し、
前記サーバの音声情報中継手段は、前記携帯通信端末の前記端末情報送信手段が送信した端末情報にもとづいて、前記通信装置から送信された音声情報にもとづく音声データを前記ＬＡＮと前記近傍アクセスポイントとを介して前記携帯通信端末に送信し、前記携帯通信端末の前記音声データ送受信手段が前記近傍アクセスポイントと前記ＬＡＮとを介して送信した音声データにもとづく音声情報を前記通信装置に送信する
請求項１から請求項４のうちいずれか１項に記載の情報通信システム。
【請求項６】
通信装置と音声情報を送受信するサーバが、インターネットに接続された無線ＬＡＮのアクセスポイントを介して携帯通信端末と音声データを送受信する情報通信方法であって、
前記携帯通信端末が、自携帯通信端末と自携帯通信端末の接続先の無線ＬＡＮのアクセスポイントとを示す端末情報を前記アクセスポイントと前記インターネットとを介して前記サーバに送信する端末情報送信ステップと、
前記携帯通信端末が、音声データを前記アクセスポイントと前記インターネットとを介して前記サーバに送信する音声データ送信ステップと、
前記サーバが、前記音声データ送信ステップで前記携帯通信端末が前記アクセスポイントと前記インターネットとを介して送信した音声データにもとづく音声情報を前記通信装置に送信する音声情報中継ステップと、
前記サーバが、前記端末情報送信ステップで前記携帯通信端末が送信した端末情報にもとづいて、前記通信装置から送信された音声情報にもとづく音声データを前記インターネットと前記アクセスポイントとを介して前記携帯通信端末に送信する音声データ中継ステップとを含む
ことを特徴とする情報通信方法。
【請求項７】
サーバおよび通信装置は、公衆電話網に接続され、
前記サーバが、音声データ中継ステップで、前記通信装置から前記公衆電話網を介して送信された音声情報をインターネットと無線ＬＡＮのアクセスポイントを介して携帯通信端末に送信するための音声データに変換し、
前記サーバが、前記音声情報中継ステップで、音声データ送信ステップで前記携帯通信端末が前記アクセスポイントと前記インターネットとを介して送信した音声データを前記公衆電話網を介して前記通信装置に送信するための音声情報に変換する
請求項６記載の情報通信方法。
【発明の詳細な説明】
【技術分野】
【０００１】
本発明は、無線ＬＡＮのアクセスポイントを利用した情報通信システムおよび情報通信方法に関する。
【背景技術】
【０００２】
通信技術の発展によって、ＶｏＩＰ（Ｖｏｉｃｅ  ｏｖｅｒ  Ｉｎｔｅｒｎｅｔ  Ｐｒｏｔｏｃｏｌ）技術が利用されて電話機が用いられるＩＰ（Ｉｎｔｅｒｎｅｔ  Ｐｒｏｔｏｃｏｌ）電話や、Ｐ２Ｐ（Ｐｅｅｒ  ｔｏ  Ｐｅｅｒ：ピアツーピア）技術が利用されてコンピュータが用いられるインターネット電話、携帯電話通信サービス等が提供されている。
【０００３】
また、インターネットに接続された無線ＬＡＮ（Ｌｏｃａｌ  Ａｒｅａ  Ｎｅｔｗｏｒｋ）のアクセスポイントを介してインターネットに接続された装置と情報を送受信する携帯通信端末がある。
【０００４】
特許文献１には、ネットワークサービスプロバイダが提供する通信接続サービスを介して接続された自宅外の携帯通信端末からＬＡＮに接続された自宅内の装置に指示を送信するシステムが記載されている。
【先行技術文献】
【特許文献】
【０００５】
【特許文献１】特開２００４−７２７６６号公報（段落００１６〜００４２、図１）
【発明の概要】
【発明が解決しようとする課題】
【０００６】
自宅内におけるＩＰ電話やインターネット電話、外出先における携帯電話通信サービス等の複数の通信手段が提供され、利便性は向上しているが、ユーザは、音声通話という共通的なサービスへの対価を各通信手段別に支払っており、通信費の管理が複雑化している。また、在宅時と外出時とで、利用可能な通信手段が限定されてしまっている。そこで、在宅時に携帯電話機を用いて音声通話を行うとＩＰ電話等に比べて通信料が高額になるという問題がある。
【０００７】
特許文献１に記載されているシステムは、携帯通信端末を用いた自宅外からの音声通話が考慮されていない。
【０００８】
そこで、本発明は、一の通信手段を用いて音声通話を行うことができる情報通信システムおよび情報通信方法を提供することを目的とする。
【課題を解決するための手段】
【０００９】
本発明による情報通信システムは、通信装置と音声情報を送受信するサーバと、インターネットに接続された無線ＬＡＮのアクセスポイントを介してサーバと音声データを送受信する携帯通信端末とを備えた情報通信システムであって、携帯通信端末が、自携帯通信端末と自携帯通信端末の接続先の無線ＬＡＮのアクセスポイントとを示す端末情報をアクセスポイントとインターネットとを介してサーバに送信する端末情報送信手段と、音声データをアクセスポイントとインターネットとを介してサーバに送信し、サーバが送信した音声データをインターネットとアクセスポイントとを介して受信する音声データ送受信手段とを含み、サーバが、携帯通信端末の端末情報送信手段が送信した端末情報にもとづいて、通信装置から送信された音声情報にもとづく音声データをインターネットとアクセスポイントとを介して携帯通信端末に送信し、携帯通信端末の音声データ送受信手段がアクセスポイントとインターネットとを介して送信した音声データにもとづく音声情報を通信装置に送信する音声情報中継手段を含むことを特徴とする。
【００１０】
本発明による情報通信方法は、通信装置と音声情報を送受信するサーバが、インターネットに接続された無線ＬＡＮのアクセスポイントを介して携帯通信端末と音声データを送受信する情報通信方法であって、携帯通信端末が、自携帯通信端末と自携帯通信端末の接続先の無線ＬＡＮのアクセスポイントとを示す端末情報をアクセスポイントとインターネットとを介してサーバに送信する端末情報送信ステップと、携帯通信端末が、音声データをアクセスポイントとインターネットとを介してサーバに送信する音声データ送信ステップと、サーバが、音声データ送信ステップで携帯通信端末がアクセスポイントとインターネットとを介して送信した音声データにもとづく音声情報を通信装置に送信する音声情報中継ステップと、サーバが、端末情報送信ステップで携帯通信端末が送信した端末情報にもとづいて、通信装置から送信された音声情報にもとづく音声データをインターネットとアクセスポイントとを介して携帯通信端末に送信する音声データ中継ステップとを含むことを特徴とする。
【発明の効果】
【００１１】
本発明によれば、携帯通信端末が無線ＬＡＮのアクセスポイントとの通信可能範囲内にいれば、サーバを介して通信装置と音声データを送受信することができる。
【図面の簡単な説明】
【００１２】
【図１】情報通信システムの構成例を示す説明図である。
【図２】携帯通信端末が、サーバの近傍に設置されたアクセスポイントとの情報の送受信が可能な範囲に入ったときの動作を示すフローチャートである。
【図３】携帯通信端末が、外出先に設置されたアクセスポイントとの情報の送受信が可能な範囲に入ったときの動作を示すフローチャートである。
【図４】サーバが着信処理を行う場合の動作を示すフローチャートである。
【図５】サーバが発信処理を行う場合の動作を示すフローチャートである。
【図６】本発明の概要を示すブロック図である。
【発明を実施するための形態】
【００１３】
本発明の実施形態の情報通信システムについて図面を参照して説明する。図１は、情報通信システムの構成例を示す説明図である。
【００１４】
図１に示すように、本発明の情報通信システムは、インターネット５００に接続された無線ＬＡＮのアクセスポイント３００，４００に接続可能な携帯通信端末１００と、インターネット５００に接続され、アクセスポイント３００にＬＡＮ（有線ＬＡＮまたは無線ＬＡＮ）７００を介して接続されているサーバ２００とを含む。なお、アクセスポイント（近傍アクセスポイント）３００は、サーバ２００の近傍（例えば、同じ建物内）に設置されているとする。
【００１５】
携帯通信端末１００は、例えば、無線ＬＡＮに接続する（具体的には、無線ＬＡＮのアクセスポイントと情報を送受信する）機能を有する携帯電話機やＰＨＳ（Ｐａｒｓｏｎａｌ  Ｈａｎｄｙ  ｐｈｏｎｅ  Ｓｙｓｔｅｍ）端末である。そして、端末情報送信手段や、音声データ送受信手段は、例えば、携帯通信端末１００としての携帯電話機やＰＨＳ端末に搭載されたＣＰＵ（Ｃｅｎｔｒａｌ  Ｐｒｏｃｅｓｓｉｎｇ  Ｕｎｉｔ）や無線回路によって実現される。
【００１６】
携帯通信端末１００は、アクセスポイント３００との情報の送受信が可能な範囲にいるときに、アクセスポイント３００と無線ＬＡＮ接続して、インターネット５００を介した情報の送受信をするためのプライベートＩＰアドレスを取得する。そして、アクセスポイント３００とＬＡＮ７００とを介してサーバ２００と情報を送受信する。具体的には、携帯通信端末１００は、サーバ２００宛の情報をアクセスポイント３００に送信し、携帯通信端末１００宛の情報をアクセスポイント３００から受信する。また、携帯通信端末１００は、予め設定された個体識別番号と当該プライベートＩＰアドレスとを示す携帯通信端末情報をアクセスポイント３００とＬＡＮ７００とを介してサーバ２００に送信する。
【００１７】
携帯通信端末１００は、アクセスポイント４００との情報の送受信が可能な範囲にいるときに、アクセスポイント４００と無線ＬＡＮ接続して、インターネット５００を介した情報の送受信をするためのプライベートＩＰアドレスを取得し、ＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）等の暗号通信規格にもとづいて、アクセスポイント４００とインターネット５００とを介してサーバ２００と情報を送受信する。具体的には、携帯通信端末１００は、サーバ２００宛の情報をアクセスポイント４００に送信し、携帯通信端末１００宛の情報をアクセスポイント４００から受信する。以下、ＩＰｓｅｃ等の暗号通信規格にもとづく接続をセキュア接続という。
【００１８】
また、携帯通信端末１００に予め設定された個体識別番号とアクセスポイント４００のグローバルＩＰアドレスとを示す携帯通信端末情報をアクセスポイント４００とインターネット５００とを介してサーバ２００に送信する。
【００１９】
サーバ２００は、例えば、インターネット５００を介した通話機能（具体的には、ＩＰ（Ｉｎｔｅｒｎｅｔ  Ｐｒｏｔｏｃｏｌ）にもとづく音声データをインターネット５００を介して送受信する機能）を有するコンピュータである。なお、サーバ２００は、公衆電話網に接続され、当該公衆電話網を介した通話機能を有していてもよい。以下、インターネット５００を介した通話機能と公衆電話網を介した通話機能とを単に通話機能と記す。
【００２０】
サーバ２００には音声入出力機器６００が接続されている。そして、サーバ２００は、音声入出力機器６００と音声情報を送受信する。音声入出力機器６００は、例えば、電話機である。そして、サーバ２００は、公衆電話網またはインターネット５００を介した着信に応答する応答操作がユーザによって音声入出力機器６００になされた場合に、公衆電話網またはインターネット５００を介して発信元から受信した音声情報を音声入出力機器６００に送信する。音声入出力機器６００は送信された音声情報にもとづく音声を出力する。そして、サーバ２００は、音声入出力機器６００に入力された音声にもとづく音声情報が送信された場合に、当該音声情報を公衆電話網またはインターネット５００を介して発信元に送信する。
【００２１】
なお、サーバ２００は、インターネット５００を介して通話の発信元や発信先の通信装置に音声情報を送信する場合や、携帯通信端末１００に音声情報を送信する場合に、当該音声情報をＩＰにもとづく音声データに変換して送信する。また、サーバ２００は、インターネット５００やＬＡＮ７００を介して受信した音声情報（具体的には、ＩＰにもとづく音声データ）を音声入出力機器６００に応じた音声情報に変換して当該音声入出力機器６００に送信したり、公衆電話網に応じた音声情報に変換して通話の発信元や発信先の通信装置に送信したりする。
【００２２】
音声情報中継手段や、音声データ変換手段は、例えば、サーバ２００に搭載されたＣＰＵや通信回路によって実現される。
【００２３】
サーバ２００は、携帯通信端末１００がアクセスポイント４００に無線ＬＡＮ接続されている場合に、インターネット５００または公衆電話網を介した着信時に、インターネット５００およびアクセスポイント４００を介して携帯通信端末１００に着信通知を行う（具体的には、着信したこと示す情報を送信する）。そして、サーバ２００は、携帯通信端末１００によって当該着信通知に応じた着信処理が行われた場合、発信元および携帯通信端末１００と情報を送受信する。
【００２４】
具体的には、例えば、発信元の通信装置から公衆電話網を介して送信された音声情報を暗号通信規格にもとづいて（具体的には、ＩＰにもとづく音声データに変換して暗号化して）インターネット５００とアクセスポイント４００とを介して携帯通信端末１００に送信する。また、携帯通信端末１００からインターネット５００とアクセスポイント４００とを介して暗号通信規格にもとづいて送信された音声情報を公衆電話網を介して発信元の通信装置に送信する（具体的には、暗号化された音声データを復号して音声情報に変換して公衆電話網を介して発信元の通信装置に送信する）。
【００２５】
また、サーバ２００は、インターネット５００または公衆電話網を介した着信時に、接続された音声入出力機器６００に着信通知を行う（具体的には、例えば、着信したことを示す情報を送信する）。また、音声入出力機器６００に着信操作が行われた場合、サーバ２００は、発信元の通信装置および音声入出力機器６００と情報を送受信する。
【００２６】
サーバ２００は、アクセスポイント４００に無線ＬＡＮ接続された携帯通信端末１００からインターネット５００を介して発信要求を受信した場合に、当該発信要求にもとづいて発信処理を行う。具体的には、発信要求に含まれている発信先の電話番号に発信する処理を行う。
【００２７】
そして、サーバ２００は、発信先の通信装置によって着信処理が行われた場合に、携帯通信端末１００からインターネット５００とアクセスポイント４００とを介して暗号通信規格にもとづいて送信された音声情報を発信先の通信装置に送信する（暗号化されて送信された音声データを復号して音声情報に変換して発信先の通信装置に送信する）。また、発信先の通信装置から送信された音声情報を暗号通信規格にもとづいてインターネット５００とアクセスポイント４００とを介して携帯通信端末１００に送信する（発信先の通信装置から送信された音声情報をＩＰにもとづく音声データに変換して暗号化して携帯通信端末１００に送信する）。
【００２８】
アクセスポイント３００は、携帯通信端末１００が情報の送受信が可能な範囲に入ったことを検出したときに、携帯通信端末１００にＳＳＩＤ（Ｓｅｒｖｉｃｅ  Ｓｅｔ  Ｉｄｅｎｔｉｆｉｅｒ）を送信する。なお、携帯通信端末１００には、予めアクセスポイント３００のＳＳＩＤが記憶されており、携帯通信端末１００は、送信されたＳＳＩＤにもとづいてＳＳＩＤの送信元のアクセスポイントがアクセスポイント３００であるか否か判断するとする。また、アクセスポイント３００は、携帯通信端末１００に無線ＬＡＮ接続された場合に、携帯通信端末１００が送信した携帯通信端末情報や音声情報（具体的には、ＩＰにもとづく音声データ）をＬＡＮ７００を介してサーバ２００に送信する。
【００２９】
アクセスポイント４００は、携帯通信端末１００が情報の送受信が可能な範囲に入ったことを検出したときに、携帯通信端末１００にＳＳＩＤを送信する。また、アクセスポイント４００は、携帯通信端末１００に無線ＬＡＮ接続された場合に、インターネット５００を介してサーバ２００から送信された情報を無線ＬＡＮ接続された携帯通信端末１００に送信する。また、アクセスポイント４００は、無線ＬＡＮ接続された携帯通信端末１００から送信された携帯通信端末情報や音声情報（具体的には、ＩＰにもとづく音声データ）をインターネット５００を介してサーバ２００に送信する。
【００３０】
次に、本発明の実施形態の情報通信システムの動作について図面を参照して説明する。図２は、携帯通信端末１００が、アクセスポイント３００との情報の送受信が可能な範囲に入ったときの動作を示すフローチャートである。
【００３１】
アクセスポイント３００は、携帯通信端末１００が情報の送受信が可能な範囲に入ったことを検出したときに、携帯通信端末１００にＳＳＩＤを送信する（ステップＳ１０１）。
【００３２】
携帯通信端末１００は、送信されたＳＳＩＤにもとづいて、ＳＳＩＤの送信元がアクセスポイント３００であるか否か判断する（ステップＳ１０２）。そして、ＳＳＩＤの送信元がアクセスポイント３００であると判断した場合に（ステップＳ１０２のＹ）、アクセスポイント３００と無線ＬＡＮ接続する（ステップＳ１０３）。なお、このとき携帯通信端末１００は、アクセスポイント３００と無線ＬＡＮ接続して、インターネット５００を介した情報の送受信をするためのプライベートＩＰアドレスを取得する。携帯通信端末１００は、無線ＬＡＮ接続されたアクセスポイント３００とＬＡＮ７００とを介してサーバ２００に接続要求を送信する（ステップＳ１０４）。
【００３３】
また、携帯通信端末１００は、無線ＬＡＮ接続されたアクセスポイント３００とＬＡＮ７００とを介してサーバ２００に携帯端末情報を送信する（ステップＳ１０５）。サーバ２００は、携帯通信端末１００から送信された携帯端末情報に含まれるプライベートＩＰアドレスにもとづいて、携帯通信端末１００がアクセスポイント３００に無線ＬＡＮ接続されていることを認識する。そして、サーバ２００は、送信された携帯端末情報を管理情報として記憶手段（図示せず）に記憶させる（ステップＳ１０６）。
【００３４】
アクセスポイント３００は、携帯通信端末１００との情報の送受信ができなくなった場合（つまり、携帯通信端末１００がアクセスポイント３００との情報の送受信が可能な範囲からいなくなった場合）に、携帯通信端末１００との通信が不可能であることを示す情報をＬＡＮ７００を介してサーバ２００に送信する（ステップＳ１０７）。サーバ２００は、携帯通信端末１００との通信が不可能であることを示す情報をＬＡＮ７００を介してアクセスポイント３００から受信した場合に、記憶手段に記憶されている管理情報を更新して、携帯通信端末１００から送信された携帯端末情報を記憶内容から消去し、携帯通信端末１００がアクセスポイント３００との接続可能範囲外に移動したこと記憶手段に記憶させる（ステップＳ１０８）。
【００３５】
図３は、携帯通信端末１００が、アクセスポイント４００との情報の送受信が可能な範囲に入ったときの動作を示すフローチャートである。
【００３６】
アクセスポイント４００は、携帯通信端末１００が情報の送受信が可能な範囲に入ったことを検出したときに、携帯通信端末１００にＳＳＩＤを送信する（ステップＳ２０１）。
【００３７】
携帯通信端末１００は、送信されたＳＳＩＤにもとづいて、ＳＳＩＤの送信元がアクセスポイント３００であるか否か判断する（ステップＳ２０２）。そして、ＳＳＩＤの送信元がアクセスポイント３００でないと判断した場合（本例では、ＳＳＩＤの送信元がアクセスポイント４００である場合）に（ステップＳ２０２のＮ）、アクセスポイント４００と無線ＬＡＮ接続する（ステップＳ２０３）。なお、このとき携帯通信端末１００は、アクセスポイント４００と無線ＬＡＮ接続して、インターネット５００を介した情報の送受信をするためのプライベートＩＰアドレスを取得する。携帯通信端末１００は、無線ＬＡＮ接続されたアクセスポイント４００とインターネット５００とを介してサーバ２００にセキュア接続要求を送信する（ステップＳ２０４）。
【００３８】
また、携帯通信端末１００は、無線ＬＡＮ接続されたアクセスポイント４００とインターネット５００とを介して、サーバ２００に暗号通信規格にもとづいて暗号化された携帯端末情報を送信する（ステップＳ２０５）。サーバ２００は、携帯通信端末１００から送信された携帯端末情報を復号し、当該携帯端末情報に含まれるグローバルＩＰアドレスにもとづいて、携帯通信端末１００がアクセスポイント４００に無線ＬＡＮ接続されていることを認識する。そして、サーバ２００は、復号した携帯端末情報を管理情報として記憶手段（図示せず）に記憶させる（ステップＳ２０６）。
【００３９】
アクセスポイント４００は、携帯通信端末１００との情報の送受信ができなくなった場合（つまり、携帯通信端末１００がアクセスポイント４００との情報の送受信が可能な範囲からいなくなった場合）に、携帯通信端末１００との通信が不可能であることを示す情報をインターネット５００を介してサーバ２００に送信する（ステップＳ２０７）。サーバ２００は、携帯通信端末１００との通信が不可能であることを示す情報をインターネット５００を介してアクセスポイント４００から受信した場合に、記憶手段に記憶されている管理情報を更新して、携帯通信端末１００から送信された携帯端末情報を記憶内容から消去し、携帯通信端末１００がアクセスポイント４００との接続可能範囲外に移動したこと記憶手段に記憶させる（ステップＳ２０８）。
【００４０】
次に、サーバ２００が電話機能の処理を行う場合の動作について説明する。図４は、サーバ２００が着信処理を行う場合の動作を示すフローチャートである。
【００４１】
サーバ２００は、電話着信を検知する（ステップＳ３０１）。そして、サーバ２００は、接続されている音声入出力機器６００に、着信を通知し、着信音を鳴動させ、着信を報知させる（ステップＳ３０２）。
【００４２】
また、サーバ２００は、記憶手段に記憶されている管理情報にもとづいて、携帯通信端末１００がアクセスポイント３００と無線ＬＡＮ接続可能な範囲にいるか否か、およびアクセスポイント４００と無線ＬＡＮ接続可能な範囲にいるか否かを確認する（ステップＳ３０３）。具体的には、サーバ２００は、例えば、記憶手段に記憶されている管理情報に、アクセスポイント３００から取得されたプライベートＩＰアドレスが含まれていれば携帯通信端末１００がアクセスポイント３００と無線ＬＡＮ接続可能な範囲にいることを確認し、アクセスポイント４００のグローバルＩＰアドレスが含まれていれば携帯通信端末１００がアクセスポイント４００を無線ＬＡＮ接続可能な範囲にいることを確認する。
【００４３】
そして、サーバ２００は、携帯通信端末１００がアクセスポイント３００またはアクセスポイント４００と無線ＬＡＮ接続可能な範囲にいることを確認した場合（つまり、記憶手段に管理情報として携帯通信端末１００の携帯端末情報が記憶されていた場合）に（ステップＳ３０３のＹ）、携帯端末情報のＩＰアドレスにもとづいて、携帯通信端末１００に着信通知を送信する（ステップＳ３０４）。具体的には、サーバ２００は、記憶手段に記憶されている携帯端末情報にアクセスポイント４００のグローバルＩＰアドレスが含まれていた場合に、インターネット５００およびアクセスポイント４００を介して携帯通信端末１００に着信通知を送信し、記憶手段に記憶されている携帯端末情報にアクセスポイント３００から取得されたプライベートＩＰアドレスが含まれていた場合に、ＬＡＮ７００およびアクセスポイント３００を介して携帯通信端末１００に着信通知を送信する。
【００４４】
なお、サーバ２００は、携帯通信端末１００がアクセスポイント４００と無線ＬＡＮ接続可能な範囲にいることを確認した場合、携帯通信端末１００に情報を送信するときに、当該情報を暗号通信規格にもとづいて暗号化するとする。また、サーバ２００は、携帯通信端末１００から受信した情報が暗号通信規格にもとづいて暗号化されているときには、復号するとする。
【００４５】
送信された着信通知を受信した携帯通信端末１００は、着信通知を受信したことを示す受信通知をサーバ２００に送信する（ステップＳ３０５）。なお、携帯通信端末１００が、インターネット５００およびアクセスポイント４００を介して着信通知を受信した場合には、アクセスポイント４００およびインターネット５００を介して受信通知をサーバ２００に送信し、ＬＡＮ７００およびアクセスポイント３００を介して着信通知を受信した場合には、アクセスポイント３００およびＬＡＮ７００を介して受信通知をサーバ２００に送信する。
【００４６】
サーバ２００は、ステップＳ３０２の処理で着信を報知させた音声入出力機器６００やサーバ２００にユーザによって応答操作が行われていない場合に（ステップＳ３０６，Ｓ３０７のＮ）、受信通知を送信した携帯通信端末１００に着信応答許可通知を送信する（ステップＳ３０８）。そして、着信応答許可通知を受信した携帯通信端末１００は、着信音を鳴動して、着信を報知する（ステップＳ３０９）。
【００４７】
携帯通信端末１００は、ユーザによって応答操作が行われた場合に（ステップＳ３１０のＹ）、サーバ２００に応答操作通知を送信する（ステップＳ３１１）。応答操作通知を受信したサーバ２００は、音声入出力機器６００に着信の報知を終了させ（ステップＳ３１２，Ｓ３１３）、電話機能にもとづく着信処理を行って（ステップＳ３１４）、発信元の通信装置および携帯通信端末１００と情報の送受信を開始する（ステップＳ３１５）。
【００４８】
具体的には、サーバ２００は、携帯通信端末１００がアクセスポイント３００に無線ＬＡＮ接続されている場合に、発信元の通信装置から送信された音声情報を音声データに変換して、ＬＡＮ７００とアクセスポイント３００とを介して携帯通信端末１００に送信する。また、携帯通信端末１００から送信された音声データを音声情報に変換して発信元の通信装置に送信する。
【００４９】
また、サーバ２００は、携帯通信端末１００がアクセスポイント４００に無線ＬＡＮ接続されている場合に、発信元の通信装置から送信された音声情報を音声データに変換して暗号化し、インターネット５００とアクセスポイント４００とを介して携帯通信端末１００に送信する。また、携帯通信端末１００から送信された音声データを復号して音声情報に変換して発信元の通信装置に送信する。
【００５０】
また、サーバ２００は、ユーザによってサーバ２００または音声入出力機器６００に応答操作が行われた場合に（ステップＳ３０６，Ｓ３０７のＹ）、携帯通信端末１００に応答操作通知を送信する（ステップＳ３１６）。応答操作通知を受信した携帯通信端末１００は、着信の報知を終了する（ステップＳ３１７）。サーバ２００は、着信処理を行って（ステップＳ３１８）、発信元の通信装置および音声入出力機器６００と情報の送受信を開始する（ステップＳ３１９）。
【００５１】
具体的には、サーバ２００は、発信元の通信装置から送信された音声情報を音声入出力機器６００に送信し、音声入出力機器６００から送信された音声情報を発信元の通信装置に送信する。
【００５２】
図５は、サーバ２００が発信処理を行う場合の動作を示すフローチャートである。
【００５３】
携帯通信端末１００に発信を指示する発信操作が行われると、携帯通信端末１００は、発信先の電話番号を示す情報を含む発信要求をサーバ２００に送信する（ステップＳ４０１）。なお、携帯通信端末１００がアクセスポイント３００と無線ＬＡＮ接続可能な範囲にいる場合には、発信要求はアクセスポイント３００およびＬＡＮ７００を介してサーバ２００に送信される。また、携帯通信端末１００が、アクセスポイント４００と無線ＬＡＮ接続可能な範囲にいる場合には、発信要求は暗号通信規格にもとづいて暗号化されてアクセスポイント４００およびインターネット５００を介してサーバ２００に送信される。
【００５４】
発信要求を受信したサーバ２００は、電話機能を利用した通話が行われているか否か判断する（ステップＳ４０２）。サーバ２００は、通話が行われていると判断した場合に（ステップＳ４０２のＹ）、発信拒否通知を発信要求の送信元の携帯通信端末１００に送信する（ステップＳ４０３）。発信拒否通知を受信した携帯通信端末１００は、発信拒否されたことを表示手段（図示せず）に表示させる。
【００５５】
サーバ２００は、通話が行われていないと判断した場合に（ステップＳ４０２のＮ）、発信要求に含まれる発信先の電話番号に応じて発信処理を行って（ステップＳ４０４）、発信先の通信装置および携帯通信端末１００と暗号通信規格にもとづく情報の送受信を開始する（ステップＳ４０５）。
【００５６】
具体的には、サーバ２００は、携帯通信端末１００がアクセスポイント３００に無線ＬＡＮ接続されている場合に、発信先の通信装置から送信された音声情報を音声データに変換して、ＬＡＮ７００とアクセスポイント３００とを介して携帯通信端末１００に送信する。また、携帯通信端末１００から送信された音声データを音声情報に変換して発信先の通信装置に送信する。
【００５７】
また、サーバ２００は、携帯通信端末１００がアクセスポイント４００に無線ＬＡＮ接続されている場合に、発信先の通信装置から送信された音声情報を音声データに変換して暗号化し、インターネット５００とアクセスポイント４００とを介して携帯通信端末１００に送信する。また、携帯通信端末１００から送信された音声データを復号して音声情報に変換して発信先の通信装置に送信する。
【００５８】
本実施形態によれば、携帯通信端末１００のユーザの通信手段をサーバ２００を介した通信手段に統一することで、通信費の支払先の数を減少させ、通信費の管理を容易にすることができる。また、通信費を削減することも可能になる。一般に、ＩＰ電話や公衆電話網を用いた通話の通信料は、携帯電話通信サービスの通信料よりも低額だからである。
【００５９】
また、携帯通信端末１００のユーザは、外出先であるか否かに関わらず、携帯通信端末１００のみを用いて通話を行うことができるので、外出先や自宅等の複数の通信機器の使用方法を覚える必要がなくなる。
【００６０】
なお、サーバ２００がマンション等に設置されているインターフォン等に接続されていてもよい。そして、来客者によってインターフォンに呼出操作がなされた場合に、図４に示すステップＳ３０１における電話着信を検知した場合と同様な処理を実行するように構成されていてもよい。そのような構成によれば、携帯通信端末１００のユーザに外出先で来客者と会話させることができる。
【００６１】
また、携帯通信端末１００は、ユーザによってなされた送信要求操作をサーバ２００に送信し、サーバ２００は、当該送信要求操作に応じて、記憶手段に記憶されているデータを携帯通信端末１００に送信するように構成されていてもよい。また、携帯通信端末１００から送信されたデータを記憶手段に記憶させるように構成されていてもよい。そして、これらデータの送受信は暗号通信規格にもとづいて暗号化されて行われてもよい。そのように構成された場合には、サーバ２００の記憶手段に記憶されているデータを外出先から閲覧したり、サーバ２００の記憶手段に新たなデータを記憶させたりすることができる。
【００６２】
また、サーバ２００にカメラ等の撮影手段が接続され、サーバ２００が、携帯通信端末１００の要求に応じて当該撮影手段によって生成された撮影データ（例えば、動画の撮影データ）を当該携帯通信端末１００に送信するように構成されていてもよい。そのように構成された場合には、例えば、自宅に設置された撮影手段により撮影された自宅の映像を外出先で見ることができる。
【００６３】
次に、本発明の概要について説明する。図６は、本発明の概要を示すブロック図である。本発明の情報通信システムは、携帯通信端末１０とサーバ２０とを備える。
【００６４】
携帯通信端末１０は、端末情報送信手段１１と音声データ送受信手段１２とを含む。サーバ２０は、音声情報中継手段２１を含む。
【００６５】
端末情報送信手段１１は、自携帯通信端末１０と自携帯通信端末１０の接続先の無線ＬＡＮのアクセスポイントとを示す端末情報をアクセスポイントとインターネットとを介してサーバ２０に送信する。
【００６６】
音声データ送受信手段１２は、音声データをアクセスポイントとインターネットとを介してサーバ２０に送信し、サーバ２０が送信した音声データをインターネットとアクセスポイントとを介して受信する。
【００６７】
音声情報中継手段２１は、携帯通信端末１０の端末情報送信手段１１が送信した端末情報にもとづいて、通信装置から送信された音声情報にもとづく音声データをインターネットとアクセスポイントとを介して携帯通信端末１０に送信し、携帯通信端末１０の音声データ送受信手段１２がアクセスポイントとインターネットとを介して送信した音声データにもとづく音声情報を通信装置に送信する。
【００６８】
そのような構成によれば、携帯通信端末１０は、無線ＬＡＮのアクセスポイントとの通信可能範囲内にいれば、サーバ２０を介して通信装置と音声データを送受信することができる。
【００６９】
また、上記の実施形態には、サーバ２０および通信装置が、公衆電話網に接続され、サーバ２０の音声情報中継手段２１が、公衆電話網を介して通信装置と音声情報を送受信し、サーバ２０が、通信装置から公衆電話網を介して送信された音声情報をインターネットと無線ＬＡＮのアクセスポイントを介して携帯通信端末に送信するための音声データに変換し、携帯通信端末の音声データ送受信手段からアクセスポイントとインターネットとを介して受信した音声データを公衆電話網を介して通信装置に送信するための音声情報に変換する音声データ変換手段を含む構成も開示されている。
【００７０】
そのような構成によれば、携帯通信端末１０を用いて、外出先から公衆電話網を介した音声データの送受信を行うことができる。
【００７１】
また、上記の実施形態には、携帯通信端末の端末情報送信手段１１が、暗号通信規格にもとづいて端末情報をサーバに送信し、携帯通信端末の音声データ送受信手段１２が、暗号通信規格にもとづいて音声データをサーバに送信し、サーバの音声情報中継手段２１が、暗号通信規格にもとづいて音声データを携帯通信端末に送信する構成も開示されている。
【００７２】
そのような構成によれば、送受信される音声データを暗号化して、当該音声データの漏洩を防止することができる。
【００７３】
また、上記の実施形態には、携帯通信端末１０の端末情報送信手段１１が、無線ＬＡＮのアクセスポイントと通信可能になったときに、アクセスポイントとインターネットとを介してサーバに端末情報を送信する構成も開示されている。そのような構成によれば、携帯通信端末１０が無線ＬＡＮのアクセスポイントと通信可能な範囲に入ったときに、自動的にサーバ２０と情報の送受信を開始することが可能である。
【００７４】
また、上記の実施形態には、サーバ２０の近傍に設置され、ＬＡＮを介してサーバに接続された無線ＬＡＮのアクセスポイントである近傍アクセスポイントを備え、近傍アクセスポイントは、携帯通信端末１０と無線ＬＡＮを介して通信可能になったときに、近傍アクセスポイントであることを示すアクセスポイント情報を携帯通信端末１０に送信し、携帯通信端末１０の端末情報送信手段１１は、アクセスポイント情報にもとづいて無線ＬＡＮの接続先が近傍アクセスポイントであることを認識して、端末情報を近傍アクセスポイントとＬＡＮとを介してサーバ２０に送信し、携帯通信端末１０の音声データ送受信手段１２は、音声データを近傍アクセスポイントとＬＡＮとを介してサーバに送信し、ＬＡＮと近傍アクセスポイントとを介してサーバ２０が送信した音声データを受信し、サーバ２０の音声情報中継手段２１は、携帯通信端末１０の端末情報送信手段１１が送信した端末情報にもとづいて、通信装置から送信された音声情報にもとづく音声データをＬＡＮと近傍アクセスポイントとを介して携帯通信端末１０に送信し、携帯通信端末１０の音声データ送受信手段１１が近傍アクセスポイントとＬＡＮとを介して送信した音声データにもとづく音声情報を通信装置に送信することも開示されている。
【００７５】
そのような構成によれば、サーバ２０の近傍にいる場合と、外出先にいる場合とで同じ携帯通信端末１０を用いて音声データの送受信を行うことができる。
【産業上の利用可能性】
【００７６】
本発明は、無線ＬＡＮのアクセスポイントと接続可能な携帯通信端末を備えた情報通信システムに適用することができる。
【符号の説明】
【００７７】
１０、１００  携帯通信端末
１１  端末情報送信手段
１２  音声データ送受信手段
２０、２００  サーバ
２１  音声情報中継手段
３００、４００  アクセスポイント
５００  インターネット
６００  音声入出力機器
７００  ＬＡＮ
【図１】
2010278626.tif 000003
【図２】
2010278626.tif 000004
【図３】
2010278626.tif 000005
【図４】
2010278626.tif 000006
【図５】
2010278626.tif 000007
【図６】
2010278626.tif 000008